(57)【特許請求の範囲】
【請求項１】
ルーフトップ接続カバーと，ルーフ垂木根太全カバータイプ又はルーフ垂木根太セパレートタイプのいずれかのタイプのルーフ垂木根太と，屋上利用型システムルーフ勾配屋根と屋上利用型システムルーフ水平屋根のいずれかのタイプの屋根利用型システムルーフと，Ｈ型接続固定バーと，屋根押さえバーとを有し，施工した屋根利用ルーフ施工システムにおいて，ルーフトップ接続カバーは，断面が凹型を上下逆さまにした様な形状で，レール形状を有した屋根構造部のルーフ垂木根太と屋上利用型システムルーフを接続及び取り付けする部材であり，ルーフ垂木根太は，屋根構造部材である垂木根太芯材を建築構造物の梁及び桁に取り付けて屋根を作る垂木及び根太の役割を果たす部材で，垂木根太芯材にかぶさる様に垂木根太芯材をすべて覆う形状のルーフ垂木根太全カバータイプとルーフ垂木根太全カバータイプに比べて垂直に下がった板の長さが短いルーフ垂木根太セパレートタイプ上（１７）と垂木根太セパレートタイプ下又はＬ型アングル（１８）を同時に使用するルーフ垂木根太セパレートタイプのいずれかであり，屋根利用型システムルーフは，凹型の断面をした板状の防水屋根材料で，上端部を水平状態に取り付けた際に屋根面に勾配ができる屋根利用型システムルーフ勾配屋根と，上端部を水平に取り付けた際に屋根面が水平になる屋根利用型システムルーフ水平屋根とのいずれかであり，Ｈ型接続固定バーは，ルーフトップ接続カバーとルーフ垂木根太の接続を固定する部材であり，屋根押さえバーは，屋根利用型システムルーフを上部から固定する部材であり，梁に垂木根太を取り付け，当該ルーフ垂木根太にＨ型接続固定バーでルーフトップ接続カバーを固定し，当該ルーフトップ接続カバーのトップに，デッキ，庭園，ソーラーシステムなどの構築物を取り付け及び施工し，屋根利用型システムルーフの上端部は，ルートップ接続カバーに差し込む構造で雨水及び散水を屋根の内側に入れない接続部を有し，ルーフトップ接続カバーに取り付けた屋根押さえバーを屋根利用型システムルーフに当てて屋根利用型システムルーフを固定し，ルーフトップ接続カバーの最上端にかかる荷重はルーフトップ接続カバーからルーフ垂木根太及び垂木根太芯材から建築構造物の主となる構造の梁及び桁から柱へと直接力が伝わる構造となっていて，防水が必要な屋上利用型システムルーフ勾配屋根，屋上利用型システムルーフ水平屋根及び防水屋根下地部の野地板に負担をかけずに作られることを特徴とする屋上利用ルーフ施工システム。
【請求項２】
ルーフトップ接続カバーは，ルーフトップ接続カバーの両側に下がった鍔状の板が垂直なルーフトップ接続カバー垂直タイプと，ルーフトップ接続カバーの両側に下がった鍔状の板が外側に曲がったルーフトップ接続カバー水切りタイプとのいずれかであり，ルーフトップ接続カバーは両外側の溝と上部の溝と両内側に溝を有し，ルーフトップ接続カバーの両側に下がった鍔状の板の内側は，屋上利用型システムルーフの両側にある立ち上げ部分の上先端部を覆うように差し込む接続部を有し，ルーフトップ接続カバーをルーフ垂木根太にかぶせるように施工する際，ルーフトップ接続カバーの両内側の溝は，ルーフトップ接続カバーとルーフ垂木根太を接続固定するＨ型接続固定バー（１４）を差し込む，接続固定バー差込溝外（４）であり，ルーフトップ接続カバーの両外側の溝と上部の溝，又はいずれかを利用して，固定用ボルト及びビス，固定及び接続用ブラケットを使用して屋上に構築物を取り付け，屋上の有効利用のための施工を可能にすることを特徴とする，ルーフトップ接続カバーを有する請求項１に記載の屋上利用ルーフ施工システム。
【請求項３】
ルーフ垂木根太は，屋根構造部材である垂木根太芯材を建築構造物の梁及び桁に取り付けて屋根を作る垂木及び根太の役割を果たす部材で，垂木根太芯材にかぶさる様に垂木根太芯材をすべて覆う形状のルーフ垂木根太全カバータイプと，ルーフ垂木根太全カバータイプに比べ垂直に下がった板の長さが短いルーフ垂木根太セパレートタイプ上（１７）と垂木根太セパレートタイプ下又はＬ型アングル（１８）を同時に使用するルーフ垂木根太セパレートタイプのいずれかであり，ルーフ垂木根太セパレートタイプは，ルーフ垂木根太セパレートタイプ上（１７）と垂木根太セパレートタイプ下又はＬ型アングル（１８）を同時に使用することで，ルーフ垂木根太セパレートタイプは垂木根太芯材の高さを用途に応じて自由に変えることが可能であり，ルーフ垂木根太全カバータイプとルーフ垂木根太セパレートタイプ上はいずれも，一つの部品から成るものと，ルーフ垂木根太全カバータイプとルーフ垂木根太セパレートタイプ上を縦に二分し接続部分が一方は上向きに，もう一方は下向きのカギ状となり噛み合って接続するルーフ垂木根太ハーフ＆ハーフタイプとのいずれかから選択され，ルーフ垂木根太の両外側の溝は，ルーフトップ接続カバーとルーフ垂木根太の接続を固定するＨ型接続固定バー差込溝内（１０）であり，ルーフ垂木根太は，用途に応じてタイプを選択できること，ルーフトップ接続カバー，屋上利用型システムルーフ，Ｈ型接続固定バーと屋根押さえバーとを組み合わせて施工することを特徴とする当該ルーフ垂木根太を有する請求項１に記載の屋上利用ルーフ施工システム。
【請求項４】
屋根利用型システムルーフは，凹型の断面をした板状の防水屋根材料で，上端部を水平状態に取り付けた際に屋根面に勾配ができる屋根利用型システムルーフ勾配屋根と，上端部を水平状態に取り付けた際に屋根面が水平になる屋根利用型システムルーフ水平屋根とのいずれかを選択し，屋根の棟の位置おいては，ルーフ水上立ち上げ（３８）部を有した屋根利用型システムルーフ勾配屋根を選択し，屋根利用型システムルーフ水平屋根とルーフ水上立ち上げ（３８）部を有した屋根利用型システムルーフ勾配屋根は，上端部が内側に反発力を持つように折り曲がったルーフ差込内曲げタイプと，上端部が外側に反発力を持つように折り曲がったルーフ差込外曲げタイプのいずれかから選択され，屋根利用型システムルーフの上端部は，ルーフトップ接続カバーに差し込む構造で雨水及び散水を屋根の内側に入れない接続部を有し，屋上構築物による荷重が直接的に屋根利用型システムルーフにかからない構造で取り付けることを特徴とする屋根利用型システムルーフを有する請求項１に記載の屋上利用ルーフ施工システム。
【請求項５】
Ｈ型接続固定バーは，断面がＨ形をしたレール形状で，ルーフトップ接続カバーとルーフ垂木根太を接続して固定する部材で，屋根の内側へ水漏れの原因となるボルト穴及びビス穴をあけずに接続し，固定することを特徴とするＨ型接続固定バーを有する請求項１に記載の屋上利用ルーフ施工システム。
【請求項６】
屋根押さえバーは，屋根利用型システムルーフを上部から固定する部材で，板状の細長い小判型で，中を細長い小判型にくりぬいた形状で，一方の先端のみが鍵状のＲ型押さえ部（４６）を有し，ルーフトップ接続カバーの両外側の溝にボルトを利用して，必要とする適当な位置に取り付けることが可能で，屋根利用型システムルーフに穴をあけずに固定することを特徴とする屋根押さえバーを有する請求項１に記載の屋上利用ルーフ施工システム。
【発明の詳細な説明】
【技術分野】
【０００１】  本発明は屋上に構築物の取付け及びデッキ及び庭園及びソーラーシステムの取付け構築など屋上に人が乗り利用する屋根の施工材料と屋上を利用する施工システム及び屋上利用に関する。
【背景技術】
【０００２】  屋上に構築物及びデッキ及びソーラーパネルなどを取り付け，人が乗り屋上を利用する場合，屋根に固定するためのボルト，ビスなどを使い，屋根にボルト及びビス穴をあける方法で施工していた。【０００３】  屋上に構築物及びソーラーシステムなどの構造物を取り付け，屋上を利用する場合，雨などの水を防ぐ一般の屋根材に直接構築物固定用金具や固定用材料取り付けていた。【０００４】  屋上に構築物及びソーラーシステムなどの構築物を取り付け，屋上を利用する場合，屋根の構造材及び垂木等を補強せず，既存の屋根に直接取り付けるケースもあった。【０００５】  一般に屋上にデッキを取り付けると雨漏れおこすため，又屋根が荷重に耐える構造でないため，デッキを取付けて使うことができなかった。
【先行技術文献】
【特許文献】
【０００６】
【特許文献１】特開２０１６−０９８４９８号公報
【特許文献２】特開２０１４−１７３３４６号公報
【発明の概要】
【発明が解決しようとする課題】
【０００７】  屋上を利用して構造物を取り付け，必要な荷重に耐え，雨漏れを防ぎ，使うことが出来る屋根の垂木及び根太などの構造材や接続材，屋根材及び固定材料，固定方法及び施工方法が十分でない。又一般の屋根はそのまま屋上を利用することができない。【０００８】  屋上を利用して構造物を取り付け，使用することは防水屋根材に傷つる可能性があること又取付け施工上ボルト穴やビス穴をあけて取り付ける必要が有った。又一般の屋根材に直接または既存の屋根に取り付けることで，屋根材に余分な負担が掛かって雨漏れの原因になっている。【０００９】  屋上を利用して使うソーラーシステムは屋根にソーラーシステムの装置を取り付けるための架台などを直接取り付けることが多く，これが雨漏れの原因となっている。【００１０】    屋根及び屋上に直接デッキ材料を取り付け又デッキ及びプレート材を取り付け，庭園及び人の乗れるスペースを作ることは難しい。
【課題を解決するための手段】
【００１１】    屋上にソーラーシステム及びデッキ及び構築物を取付けて屋根を傷めることなく，又屋上を使う荷重に耐え，屋上を利用するため，ルーフ垂木根太及びルーフトップ接続カバー及び屋上利用システムルーフ及び屋根押さえバーを使い施工することで屋上にソーラーシステム及びデッキ及び構築物を取付けて使うことを可能にした。【００１２】    防水屋根に直接構造物を取付けずに荷重に耐えることができる形状及び構造の垂木及び根太などにし，防水屋根材に直接荷重かけること及び取付けをしないことで屋上の雨漏れを無くし，又荷重に耐え，構築物を取付けて使用することを可能にした。【００１３】    垂木材及び根太材と防水屋根材に屋上利用の為の取り付け用のボルト及びビス穴を開けずに施工することを実現し，雨漏れの原因を無くしたことで屋上に構築物を取り付けて使うことを可能にした。【００１４】    屋根の上部にソーラーシステム取付け架台を固定する為のボルト及び取り付け金物を装着できる溝を設けたルーフトップ接続カバーを使うことにより屋根にボルト及びビスの取り付け穴を開ける必要がなく，雨漏れ及び屋根を壊すことなくソーラーシステムの架台及びデッキを取付けて使うことを可能にした。
【発明の効果】
【００１５】    上述したように本発明は屋根防水部及び屋根材に直接負担を掛けず，又屋根に取り付け用のボルト及びビス穴を開けず，屋根をいためずに屋上にデッキ及びソーラーシステム及び構築物を取付けて使うことができ，屋上を有効利用できる。
【図面の簡単な説明】
【００１６】
【図１】（Ａ）ルーフトップ接続カバー水切り鍔タイプの断面図，（Ｂ）ルーフトップ接続カバー水切り鍔タイプの鳥瞰図，（Ｃ）ルーフトップ接続カバー垂直鍔タイプの断面図。
【図２】（Ａ）ルーフ垂木根太全カバーの断面図，（Ｂ）ルーフ垂木根太全カバーの鳥瞰図。
【図３】（Ａ）ルーフ垂木根太全カバータイプにルーフトップ接続カバー水きり鍔タイプを取付けた断面図，（Ｂ）Ｈ型接続固定バーの断面図，（Ｃ）Ｈ型接続固定バー鳥瞰図。
【図４】梁，構造材に固定したルーフ垂木根太セパレートタイプに垂木根太芯材を取り付けて，ルーフトップ接続カバー水切り鍔タイプを取付けし，Ｈ型接続固定バーを取り付けた断面図。
【図５】（Ａ）屋上利用型システムルーフの勾配つき屋根材の鳥瞰図，（Ｂ）屋上利用型システムルーフの勾配つき屋根材の断面図，（Ｃ）屋上利用型システムルーフの水平屋根材の鳥瞰図，（Ｄ）屋上利用型システムルーフの水平屋根材の断面図。
【図６】（Ａ）屋上利用型システムルーフの勾配つき屋根材を屋根構造材に取付けた鳥瞰図，（Ｂ）屋上利用型システムルーフの勾配つき屋根材を屋根構造材に取り付けた断面図，（Ｃ）屋上利用型システムルーフの水平屋根材を桟構造屋根材に取付けた鳥瞰図、（Ｄ）屋上利用型システムルーフ水平屋根材に桟構造材を取付けた断面図。
【図７】（Ａ）屋上利用型システムルーフの勾配つき屋根材の断面図，（Ｂ）屋上利用型システムルーフの勾配つき屋根材をルーフ垂木根太，全カバー及びルーフトップ接続カバー水切り鍔タイプに取り付け，ソーラーシステムの架台を取付けた断面図。
【図８】（Ａ）屋根押さえバー正面図，（Ｂ）屋根押さえバー側面図，（Ｃ）施工した屋上利用型システムルーフの勾配つき屋根を屋根押さえバーで固定した断面図。
【図９】ルーフ垂木根太，全カバーとルーフトップ接続カバー水切り鍔タイプと屋上利用型システムルーフの勾配つき屋根材を施工し，柱又は大引き又は構造材を取り付け金物で固定した断面図。
【図１０】（Ａ）屋上デッキ取付け平面図，（Ｂ）ルーフ垂木根太，全カバーとルーフトップ接続カバー，水切り鍔タイプと屋上利用型システムルーフの勾配つき屋根材を施工し，屋上にデッキ取付けた断面図。
【図１１】梁，構造材にルーフ垂木根太セパレートタイプを取り付けし，屋上利用型システムルーフの勾配屋根を取り付け，ルーフトップ接続カバー水切りタイプを取付けし，屋上デッキを取付けた鳥瞰図。
【図１２】（Ａ）ルーフ垂木根太ハーフ＆ハーフタイプの断面図，（Ｂ）ルーフ垂木根太ハーフ＆ハーフタイプの鳥瞰図。
【図１３】（Ａ）ルーフ垂木根太ハーフ＆ハーフタイプにルーフトップ接続カバー水切り鍔タイプを取り付けた断面図，（Ｂ）Ｈ型接続固定バー断面図，（Ｃ）Ｈ型接続固定バー鳥瞰図。
【発明を実施するための形態】
【００１７】
【実施例】
【００１８】  図１（Ａ）（Ｂ）はルーフトップ接続カバーの水切り鍔タイプの図である。（Ｃ）はルーフトップ接続カバーの垂直鍔の図である。１の接続カバートップの上にデッキ，ソーラーシステム架台又建築施工物の土台又構造材を取り付けて施工する。２は上部から伝わり落ちる水を内側３に入りにくくする為に外側に向けてつけた角度のついた鍔である。図１（Ｃ）８は材料として重ねて持ち運びを容易に出来る鍔が真っすぐになったタイプである。５，６は材料及びブラケット，取り付け用金物を固定するボルト又は部材を取り付ける溝型のレール状についた５はサイド，ボルト取付け溝，６はトップボルト取り付け溝である。又９は垂木根太を取り付ける垂木根太差込受け部である。４は垂木根太とルーフトップ接続カバーを固定する接続固定バー差込溝，外である。７はルーフ差込部の幅を調整する差込幅調整板受けである。【００１９】  図２はルーフ垂木根太の全カバータイプでルーフトップ接続カバーの９垂木根太差込受けにはめ込み（Ａ）１０の接続固定バー差込溝，内と４の接続固定バー差込溝，外と合わさりＨ型接続固定バー差込部が出来る。１１の垂木根太取付け固定ボルト穴を使って梁，桁，構造材に固定する。１２は垂木根太芯材を入れる部分で，１３の垂木根太芯材固定ビス又ボルト穴である。１１の垂木根太固定ボルト穴を使って垂木根太芯材を梁，構造材に固定する。【００２０】  図３（Ａ）はＨ型接続固定バーで，（Ｂ）は図１のルーフトップ接続バーと図２のルーフ垂木根太に１６の垂木根太芯材を入れたものと組み合わせたものである。１５の接続固定バー差込溝（内外）が出来て１４のＨ型接続固定バーを差し込むことで固定される。【００２１】  図４の１７は垂木根太のセパレートタイプ上と１８の垂木根太セパレートタイプＬアングル下の間に必要なサイズの１６の垂木根太芯材を１６固定ボルトで取付け２０の梁に１９固定ボルトで取付け図１（Ａ）ルーフトップ接続カバーをつけて１４のＨ型接続固定バーを差し込んで固定したものである。【００２２】  図５（Ａ）屋上利用型システムルーフ勾配屋根タイプで，２１の勾配つき立上りは２６水下立上げに対して２５水上立上げの方が小さく，２７の勾配のついた屋根面は，降った雨や散水は２３のシステムルーフ勾配水上から２４システムルーフ勾配水下へは流れる。（Ｂ）２２のルーフ差込内曲げタイプはバネの機能を果たし，取り付く。（Ｃ）屋上利用型システムルーフ水平屋根タイプで，３２の水上立上げと３３の水下立上げが同じで，２８の勾配のない屋根面は，２９水平システムルーフ水上から３０水平システムルーフ水下に勾配が無く，降った雨水や散水を流す為に傾斜をつけて取り付けるタイプである。（Ｄ）３１のルーフ差込外曲げタイプはバネ機能を果たし，取り付き屋上利用型システムルーフ勾配屋根タイプに作ることも可能である。２２及び３１の折り曲げた天端は３４平らに曲げられて４１の防水兼クッション材の取付けを容易にする。【００２３】  図６（Ａ）（Ｂ）は３５の屋根下地桟材に３６の屋根下地平板材を取付け，２７勾配屋根を取付けたもので３８のルーフ水上立上げを作り，３９のルーフ掴み込み折り曲げを施工したものである。又これを３８のルーフ水上立上げ部で二つあわせ棟の位置から両方向へ水勾配を取り施工する。３５の屋根下地桟材はルーフ垂木根太の側面に斜めに取付けられるため施工順は３５の屋根下地桟材取り付けが先となる。（Ｃ）（Ｄ）は３５の屋根下地桟材に３７の屋根格子桟材を取付け２８水平屋根を使い施工したものである。【００２４】  図７（Ａ）（Ｂ）は２０梁に１９の固定ボルトでルーフ垂木根太を固定し，３６の屋根下地平板材を取り付けし，２７の勾配屋根の２２ルーフ差込内曲げタイプを取り付けし，４１防水兼クッション材を取り付け，ルーフトップ接続カバーを取り付けし，４３架台固定ボルトで４２ソーラーシステム架台を取付けたものである。２３はシステムルーフ勾配水上，２４はシステムルーフ勾配水下，２６水下立上げで４１は差込幅調整板差込溝ある。【００２５】  図８（Ａ）４４は屋根押さえバーで４５は自在固定位置穴で（Ｂ）４６はＲ型押さえ部である。（Ｃ）は４４の屋根押さえバーをルーフトップ接続カバーに４７の押さえバー固定ボルトで取り付けて４６のＲ型屋根押さえ部を屋根材に当てて屋根を固定したものである。【００２６】  図９はルーフトップ接続カバーに４８の取付け金物を固定して４９の金物，鋼材固定ボルトで５０の柱，大引き，構造材を取付けたものである。【００２７】  図１０において（Ａ）はルーフ垂木根太に取付け【００２８】  図１１において２０梁，構造材に１８垂木根太セパレートタイプ下またはＬアングルまたは固定金物を取り付けし，１６垂木根太芯材を１８垂木根太セパレートタイプ下またはＬアングルまたは固定金物に固定し，２７勾配屋根（水勾配あり）をルーフ差込内曲タイプを使い，ルーフトップ接続カバーの１接続カバートップが平坦に取り付けし，屋根をつくりルーフトップ接続カバーの接続カバートップに５１デッキ材を置き取り付けしたもので，屋根材に穴を開けずにまた傷つけることなく屋上にデッキを取り付けたものである。【００２９】  図１２において（Ａ）はルーフ垂木根太ハーフ＆ハーフの断面で５７ハーフ垂木根太Ｂ下と５８ハーフ垂木根太Ｔ上を組み合わせて５９ハーフ垂木根太固定ビスと６１ハーブ垂木根太固定ボルトを取り付けた断面である。（Ｂ）は５７ハーフ垂木根太Ｂ下と５８ハーフ垂木根太Ｔ上を組み合わせた鳥瞰図で６０はルーフ垂木根太固定ビス，ボルト穴である。【００３０】  図１３において（Ａ）は１６の垂木根太芯材に５７のハーフ垂木根太Ｂ下と５８ハーフ垂木根太Ｔ上を６２ハーフ垂木根太はめ込み接続部で組み合わせ，ルーフトップ接続カバー，水切り鍔タイプをかぶせる様に取り付けし，１４Ｈ型接続固定バーを１５接続固定バー差込溝（内外）に差し込んで取付けし，１６垂木根太芯材とルーフ垂木根太ハーフ＆ハーフをルーフトップ接続固定バー水きり鍔タイプを１４のＨ型接続固定バーで固定するものである。
【産業上の利用可能性】
【００３１】  本発明は勾配のついた屋根で雨水や散水を流し，屋根を利用するためにかかる荷重に耐え，屋根をいためず，屋上の利用を可能にしたもので，産業上の利用が十分に期待できる。
【符号の説明】
【００３２】１  接続カバートップ
２  水切り鍔
３  ルーフ差込部
４  接続固定バー差込溝外
５  サイド，ボルト取付け溝
６  トップ，ボルト取付け溝
７  ルーフ差込部幅調整版受け
８  垂直鍔
９  垂木根太差込受け部
１０Ｈ型接続固定バー差込溝内
１１垂木根太取付け固定ボルト穴
１２垂木根太芯材受け部
１３垂木根太芯材固定ビス又はボルト穴
１４Ｈ型接続固定バー
１５Ｈ型接続固定バー差込溝
１６垂木根太芯材
１７垂木根太セパレートタイプ上
１８垂木根太セパレートタイプ下又はＬ型アングル
１９固定ボルト
２０梁，構造材
２１システムルーフ勾配つき立上り
２２ルーフ差込内曲げタイプ
２３システムルーフ勾配水上
２４システムルーフ勾配水下
２５水上立上げ（勾配あり）
２６水下立上げ（勾配あり）
２７勾配屋根（水勾配あり）
２８水平屋根（水勾配なし）
２９水平システムルーフ水上
３０水平システムルーフ水下
３１ルーフ差込外曲げタイプ
３２水上立上げ（勾配なし）
３３水下立上げ（勾配なし）
３４ルーフ折り曲げ天端
３５屋根下地材桟
３６屋根下地平板材
３７屋根格子桟材
３８ルーフ水上立上げ
３９ルーフ掴み込み折り曲げ
４０差込幅調整板差込溝
４１防水兼クッション材
４２ソーラーシステム架台
４３架台固定ボルト
４４屋根押さえバー
４５自在固定位置穴
４６Ｒ型押さえ部
４７押さえバー固定ボルト
４８取付け金物
４９金物，構造材等固定ボルト
５０柱，大引き，構造材
５１デッキ材
５２材料取付け用溝
５３取付け金物
５４金物用ビス
５５接続カバー直付けビス
５６端部専用キヤップ
５７ハーフ垂木根太Ｂ下
５８ハーフ垂木根太Ｔ上
５９ハーフ垂木根太固定ビス
６０ルーフ垂木根太固定ビス、ボルト穴
６１ハーフ垂木根太固定ボルト
６２ハーフ垂木根太はめ込み接続部
【要約】
【課題】一般に雨水を流す勾配のついた構造の屋根及び屋上は構築物を作ること及び人が乗って活動するために作られていない，そのため屋上スペースが有効に利用されていないケースが多い。
【解決手段】一般に作られている雨水を流す勾配のついた屋根及び屋上を有効利用するため，屋根に負担を掛けない構築物の取付け方法及び屋根及び屋根材いためない材料を用い，又屋根に施工用の穴を開けることなく，施工を可能にした，又屋根の雨水を流す勾配をとりながら上部を平坦にして構造物及び人の荷重に耐え，使うことを可能にした。
【選択図】図１１【図１】
0006268400.tif 000002
【図２】
0006268400.tif 000003
【図３】
0006268400.tif 000004
【図４】
0006268400.tif 000005
【図５】
0006268400.tif 000006
【図６】
0006268400.tif 000007
【図７】
0006268400.tif 000008
【図８】
0006268400.tif 000009
【図９】
0006268400.tif 000010
【図１０】
0006268400.tif 000011
【図１１】
0006268400.tif 000012
【図１２】
0006268400.tif 000013
【図１３】
0006268400.tif 000014